(57)【要約】【課題】  修正前後の製版データの相違する部分、一致する部分を区別して表し、かつ、クライアントの修正指示箇所との対応がわかるような合成出力を得る比較検査装置またはシステムを提供する。【解決手段】  画像データベースのクライアント手段を備えたコンピュータと、画像データベースとその管理手段を備える画像データベースサーバーと、比較手段、合成手段を備える比較検査装置と、をネットワークを介して接続して構成し、前記画像データベースの管理手段は、修正後画像の登録を要求されたとき、利用者が修正前の画像データと修正後の画像データの比較指示を容易に行なえる機能を備える。【選択図】      図１
2005122659.tif 000002
【特許請求の範囲】
【請求項１】
修正前後の画像を画素ごとに比較して変化した画素とそのままの画素を識別する比較手段と、比較結果に基づいて、修正前後で変化していない部分は半調に、変化した部分は定められた色に置き換えた検査結果画像データを作成する合成手段と、検査結果画像データをプリンタに出力する出力手段と、を備えて、修正前後の画像データを比較し結果をカラープリント出力する比較検査装置。
【請求項２】
前記合成手段は、修正前画像データとして、クライアントの修正指示を画像データとは別の注釈情報として含んで記録された修正前画像データを参照し、画像データとは別に前記注釈情報を読み出すことにより、修正前後の画像の画素の値を比較して得た比較結果画像データの上にさらにクライアントの修正指示情報を重ねたものを検査結果画像データとして作成することを特徴とする比較検査装置。
【請求項３】
比較画像指示手段を備えた作業者が使用するコンピュータと、請求項１又は請求項２に記載の比較検査装置と、をネットワークを介して接続して構成した比較検査システムであって、
前記比較画像指示手段は、比較すべき修正前後の画像データの存在場所、ファイル名を記述した設定ファイルを作成し、作成した設定ファイルと比較すべき画像データ自体を、前記比較検査装置が読み出し可能なメモリ領域に転送することができ、この比較画像指示手段を備えたコンピュータからネットワークを通じて前記比較検査装置を利用できるように構成した比較検査システム。
【請求項４】
画像データベースのクライアント手段を備えた作業者が使用するコンピュータと、画像データベースおよびその管理手段を備える画像データベースサーバーと、請求項１又は請求項２に記載の比較検査装置と、をネットワークを介して接続して構成した比較検査システムであって、
前記クライアント手段が前記画像データベースに対して登録画像の呼び出しを要求したとき、前記画像データベースの管理手段は、要求画像データを提供するとともに、要求画像データの複製を修正前画像として退避させその退避場所を記憶しておき、その後、前記クライアント手段が修正後画像の登録を要求したとき、前記管理手段は、修正後画像を画像データベースに上書きするとともに、前記クライアント手段に対してその画像の修正前画像の退避場所を提示可能とする機能を有するものであって、前記クライアント手段が、修正前後の画像の比較検査を要求すると、前記管理手段は、修正前後画像の存在場所およびファイル名を提示して確認を求め、クライアント手段からの確認指示を受けると、前記比較検査装置に送付する比較すべき修正前後の画像データの存在場所、ファイル名を記述した設定ファイルを作成し、この設定ファイルと修正前後の画像データを前記比較検査装置が読み出し可能なメモリ領域に転送するよう前記画像データベースサーバーを構成したことを特徴とする比較検査システム。
【請求項５】
請求項１又は請求項２に記載の比較検査装置と、ＧＵＩ提供手段を備えたＷＷＷサーバーとで構成したアプリケーションサービス提供システムであって、
前記ＧＵＩ提供手段は、インターネットを通じてアクセスしてきた利用者のコンピュータのＷＷＷブラウザ上に、比較すべき修正前後の画像データの存在場所、ファイル名を記述した設定ファイルを作成する操作、作成した設定ファイルと比較すべき画像データ自体をアップロードする操作および比較結果画像データをダウンロードする操作を行なう画面インターフェースを前記ＷＷＷサーバーを通じて提供するものであって、利用者がインターネットを通じて画像比較機能を利用できるようにしたアプリケーションサービス提供システム。
【請求項６】
画像データベースとその管理手段を備える画像データベースサーバーと、請求項１又は請求項２に記載の比較検査装置と、ＧＵＩ提供手段を備えたＷＷＷサーバーとで構成したアプリケーションサービス提供システムであって、
前記ＧＵＩ提供手段は、インターネットを通じてアクセスしてきた利用者のコンピュータのＷＷＷブラウザ上に、前記画像データベースに対する、修正前画像データ、クライアントの修正指示が記録された修正前画像データ、修正後画像データの登録、呼出、更新、修正前後の画像比較、の各リクエストを行なうための操作画面インターフェースを前記ＷＷＷサーバーを通じて提供するものであって、
前記画像データベースサーバーは、
利用者のコンピュータより登録画像の呼び出し要求を受けたときは、前記画像データベースの管理手段は、要求画像データを提供するとともに、要求画像データの複製を修正前画像として退避させその退避場所を記憶しておき、その後、利用者のコンピュータより修正後画像の登録要求を受けたときは、前記管理手段は、登録画像を画像データベースに上書きするとともに、利用者のコンピュータに対してその画像の修正前画像の退避場所を提示可能とする機能を有するものであって、修正前後の画像の比較検査要求を受けると、前記管理手段は、修正前後画像の存在場所およびファイル名を利用者のコンピュータに提示して確認を求め、確認指示を受けると、前記比較検査装置に送付する比較すべき修正前後の画像データの存在場所、ファイル名を記述した設定ファイルを作成し、この設定ファイルと修正前後の画像データを前記比較検査装置が読み出し可能なメモリ領域に転送する機能を備えたものであって、
インターネットからアクセスしてきた利用者が修正前後の画像比較をリクエストをした場合は、比較結果画像データを利用者のコンピュータがダウンロード可能な形で作成するよう構成されたアプリケーションサービス提供システム。
【請求項７】
コンピュータに組み込むことによりコンピュータを請求項１または請求項２に記載の比較検査装置として動作させる一連の命令を記述したコンピュータプログラム。
【請求項８】
コンピュータに組み込むことによりコンピュータを請求項４又は請求項６に記載の画像データベースサーバーとして動作させる一連の命令を記述したコンピュータプログラム。
【発明の詳細な説明】
【技術分野】
【０００１】
本発明は、印刷物作成工程において必要な、クライアントの修正指示により修正した後の画像データが指示通りに修正されているかどうかを検査するための装置およびシステムに関する。
【背景技術】
【０００２】
印刷物の作成は、印刷会社から校正刷りの出校、クライアントの修正指示、再校、‥を繰り返して行なわれる。印刷会社においては、再びクライアントの確認を求める前に、クライアントの修正指示通りに印刷物又はその元になる画像データが修正されたかどうかを確認することが重要な作業となる。修正したフィルム原版またはその校正刷りが指示通りに修正されているかどうかを検査するための装置は、検版装置などとして従来よりさまざまな開発が行なわれている。
【０００３】
例えば、特許文献１には、原版フィルムを読込むイメージカメラ、画像データを読込む第１、第２の記憶手段、画像データを比較する比較手段、一致・不一致データを別々に記憶する第３、第４の記憶手段、この記憶手段から出力された合成画像データを異なる色で１枚のハードコピーに合成出力するハードコピー機と、を備えるフィルム検版装置が開示されている。また、特許文献２には、２画像を入力し、画像データの対応部分を比較し、相違する部分を互いに異なる色で表示しかつ一致する部分を前記相違する部分と異なる濃度で表示しつつ１画像に合成して出力するパターン検査方法が開示されている。
【特許文献１】特開平５−２８１６９７号公報
【特許文献２】特開平９−５４８２９号公報
【発明の開示】
【発明が解決しようとする課題】
【０００４】
特許文献１または特許文献２に開示された発明では、修正前後の原版フィルムまたは画像データの相違する部分、一致する部分をコンピュータがもれなく探すことにより検版作業が従来よりやりやすくなるが、修正指示された箇所がもれなく修正されたかどうか、また、修正指示されないのに変化したところがあるかどうかは、出力物または出力される画像表示のみを観察するだけではわからなかった。
【０００５】
本発明はこのような従来技術を考慮してなされたものであって、修正前後の製版データの相違する部分、一致する部分を区別して表し、かつ、クライアントの修正指示箇所との対応がわかるような合成出力を得る比較検査装置またはシステムを提供することを課題とする。
【課題を解決するための手段】
【０００６】
課題を解決するための第１の発明の基本となる第１の態様は、
修正前後の画像を画素ごとに比較して変化した画素とそのままの画素を識別する比較手段と、比較結果に基づいて、修正前後で変化していない部分は半調に、変化した部分は定められた色に置き換えた検査結果画像データを作成する合成手段と、検査結果画像データをプリンタに出力する出力手段と、を備えて、修正前後の画像データを比較し結果をカラープリント出力する比較検査装置である。
【０００７】
第１の発明のより好ましい第２の態様は、第１の態様に係る比較検査装置において、前記合成手段は、修正前画像データとして、クライアントの修正指示を画像データとは別の注釈情報として含んで記録された修正前画像データを参照し、画像データとは別に前記注釈情報を読み出すことにより、修正前後の画像の画素の値を比較して得た比較結果画像データの上にさらにクライアントの修正指示情報を重ねたものを検査結果画像データとして作成することを特徴とする比較検査装置である。
【０００８】
課題を解決する第２の発明は比較検査システムであって、その第１の態様は、
比較画像指示手段を備えた作業者が使用するコンピュータと、第１の発明に係る比較検査装置と、をネットワークを介して接続して構成し、
前記比較画像指示手段は、比較すべき修正前後の画像データの存在場所、ファイル名を記述した設定ファイルを作成し、作成した設定ファイルと比較すべき画像データ自体を、前記比較検査装置が読み出し可能なメモリ領域に転送することができ、この比較画像指示手段を備えたコンピュータからネットワークを通じて前記比較検査装置を利用できるように構成した比較検査システムである。
【０００９】
第２の発明のより好ましい第２の態様は、
画像データベースのクライアント手段を備えた作業者が使用するコンピュータと、画像データベースおよびその管理手段を備える画像データベースサーバーと、第１の発明に係る比較検査装置と、をネットワークを介して接続して構成した比較検査システムであって、
前記クライアント手段が前記画像データベースに対して登録画像の呼び出しを要求したとき、前記画像データベースの管理手段は、要求画像データを提供するとともに、要求画像データの複製を修正前画像として退避させその退避場所を記憶しておき、その後、前記クライアント手段が修正後画像の登録を要求したとき、前記管理手段は、修正後画像を画像データベースに上書きするとともに、前記クライアント手段に対してその画像の修正前画像の退避場所を提示可能とする機能を有するものであって、前記クライアント手段が、修正前後の画像の比較検査を要求すると、前記管理手段は、修正前画像または修正前後の２画像の存在場所およびファイル名を提示して確認を求め、クライアント手段からの確認指示を受けると、前記比較検査装置に送付する比較すべき修正前後の画像データの存在場所、ファイル名を記述した設定ファイルを作成し、この設定ファイルと修正前後の画像データを前記比較検査装置が読み出し可能なメモリ領域に転送するよう前記画像データベースサーバーを構成したことを特徴とする比較検査システムである。
【００１０】
第３の発明は、アプリケーションサービス提供システムであって、その第１の態様は、第２の発明の第１の態様に係る比較検査システムの機能をインターネットで提供するものである。
【００１１】
すなわち、第１の発明に係る比較検査装置と、ＧＵＩ（Graphical User Interface）提供手段を備えたＷＷＷ（World Wide Web）サーバーとで構成したアプリケーションサービス提供システムであって、前記ＧＵＩ提供手段は、インターネットを通じてアクセスしてきた利用者のコンピュータのＷＷＷブラウザ上に、比較すべき修正前後の画像データの存在場所、ファイル名を記述した設定ファイルを作成する操作、作成した設定ファイルと比較すべき画像データ自体をアップロードする操作および比較結果画像データをダウンロードする操作を行なう画面インターフェースを前記ＷＷＷサーバーを通じて提供するものであって、利用者がインターネットを通じて画像比較機能を利用できるようにしたアプリケーションサービス提供システムである。
【００１２】
第３の発明の第２の態様は、第２の発明の第２の態様に係る比較検査システムの機能をインターネットで提供するものである。
【００１３】
すなわち、画像データベースとその管理手段を備える画像データベースサーバーと、第１の発明に係る比較検査装置と、ＧＵＩ提供手段を備えたＷＷＷサーバーとで構成したアプリケーションサービス提供システムであって、
前記ＧＵＩ提供手段は、インターネットを通じてアクセスしてきた利用者のコンピュータのＷＷＷブラウザ上に、前記画像データベースに対する、修正前画像データ、クライアントの修正指示が記録された修正前画像データ、修正後画像データの登録、呼出、更新、修正前後の画像比較、の各リクエストを行なうための操作画面インターフェースを前記ＷＷＷサーバーを通じて提供するものであって、
前記画像データベースサーバーは、
利用者のコンピュータより登録画像の呼び出し要求を受けたときは、前記画像データベースの管理手段は、要求画像データを提供するとともに、要求画像データの複製を修正前画像として退避させその退避場所を記憶しておき、その後、利用者のコンピュータより修正後画像の登録要求を受けたときは、前記管理手段は、登録画像を画像データベースに上書きするとともに、利用者のコンピュータに対してその画像の修正前画像の退避場所を提示可能とする機能を有するものであって、修正前後の画像の比較検査要求を受けると、前記管理手段は、修正前画像または修正前後の２画像の存在場所およびファイル名を利用者のコンピュータに提示して確認を求め、確認指示を受けると、前記比較検査装置に送付する比較すべき修正前後の画像データの存在場所、ファイル名を記述した設定ファイルを作成し、この設定ファイルと修正前後の画像データを前記比較検査装置が読み出し可能なメモリ領域に転送する機能を備えたものであって、
インターネットからアクセスしてきた利用者が修正前後の画像比較をリクエストをした場合は、比較結果画像データを利用者のコンピュータがダウンロード可能な形で作成するよう構成されたアプリケーションサービス提供システムである。
【００１４】
第４の発明は、コンピュータに組み込むことによりコンピュータを第１の発明に係る比較検査装置として動作させる一連の命令を記述したコンピュータプログラムである。
【００１５】
第５の発明は、コンピュータに組み込むことによりコンピュータを第２の発明の第２の形態または第３の発明の第２の形態を構成する画像データベースサーバーとして動作させる一連の命令を記述したコンピュータプログラムである。
【発明の効果】
【００１６】
本発明に係る比較検査装置を利用することにより、作業者は修正前後の製版データの相違する部分、一致する部分を容易に識別でき、かつ、クライアントの修正指示箇所との対応がわかるような合成出力を得ることができるので、修正指示通りに修正できたかどうかだけでなく、修正指示とは関係ない箇所で、操作ミスによりデータが変化した箇所も容易に発見することができるという顕著な効果を得ることができる。また、本発明に係る画像データベースと連動して動作する比較検査システムを利用することにより、修正済画像によって画像データベースを更新する際に容易に修正前後の画像データの比較検査を指示することができるので製版作業の効率が向上し事故も減少するという顕著な効果を得ることができる。また、本発明に係るアプリケーションサービス提供システムにより、上記機能をインターネット上で提供可能となる。
【発明を実施するための最良の形態】
【００１７】
（第１の実施形態）
以下、本発明の実施形態を図面を用いて説明してゆく。図１は、本発明の基本の実施形態である比較検査装置を含むシステム（以下システム１と記す）の全体構成図である。１０は比較検査装置である。比較手段１１、合成手段１２、分割出力手段１３を備える。１９は比較結果を出力するカラープリンターである。２０はクライアントコンピュータである。比較画像指示手段２１を備える。比較検査装置１０とクライアントコンピュータ２０はネットワーク９で接続されている。
【００１８】
比較手段１１はコンピュータプログラムである。指示された２つの画像データの対応する画素ごとの画素の値を画素ごとに比較し、比較結果を画素の値とする単色画像データを作成する。画像データはCMYKの色版で構成されるが、すべての色版についての当該画素の値がすべて等しい場合は、その画素は修正前後で変化していないことを示す値をその画素について記憶する。変化している色版が１つ以上ある場合は、その色版について、修正後の画素の値−修正前の画素の値が正なら第１の特定の色（例えばマゼンタ１００％）の値を、負なら第２の特定の色（例えばシアン１００％）の値をその画素について記憶する。尚、２つ以上の色版において正と負が生じる場合は、色全体としていずれかの値をとるよう決定ルールを定めておく。
【００１９】
合成手段１２もコンピュータプログラムである。比較手段１１が作成した単色画像データから比較結果画像データを作成する。この単色画像データの画素の値が修正前後で変化していないことを示す場合は、修正画像（または修正前画像）の対応する画素の値を半調表現とするために１より小さい定数（例えば0.2）で乗じた値をその画素の色データとし、第１の特定の色または第２の特定の色であれば、その色をその画素の色データとする。このようにして、修正前後で変化しない部分は元画像の半調とし、変化した部分は特定の色に変えた検査結果画像データが得られる。
【００２０】
図９は、直し指示の入った修正前の画像データである。図１０は、修正後の画像データである。図１１は、合成手段１２が出力した検査結果画像データである。
【００２１】
合成手段１２は、さらに、クライアントの直し指示情報がPDF（登録商標、Portable Document Format）ファイルに含まれる「注釈」で与えられている場合は、PDFファイルからその「注釈」を取り出す。そして、検査結果画像データをPDFに変換した結果に取り出した「注釈」を加えて、直し指示情報つきの検査結果画像データをPDFファイルとして作成する。図１２は、修正指示情報を重ねてＰＤＦファイルとした検査結果画像データである。分割出力手段１３もコンピュータプログラムである。検査結果画像データ、または、直し指示情報つきの検査結果画像データをカラープリンタで出力可能なようにサイズが大きい場合は適当に分割して出力する。
【００２２】
２０は利用者が使用するクライアントコンピュータである。比較画像指示手段２１を備えている。比較画像指示手段２１は、比較手段１１が処理すべき対象等を記述した設定ファイルを生成し、この設定ファイルと比較対象である画像データ自体を比較検査装置１０に送付する。図６は、比較画像指示手段２１の比較ファイルを設定するダイアログボックス１００である。１０１は、利用者が修正前画像が記録されているフォルダとして指定したフォルダの内容を表示する欄である。１０２は利用者が修正後画像が記録されているフォルダとして指定したフォルダの内容を表示する欄である。利用者は、１０１，１０２から修正前後のペアとしてファイルを選択して追加ボタンを押すことによりそれらを表示欄１０３に比較するペアとして指定することができる。図６では、修正前後の比較されるペアとして（イラスト１．Ａｉとイラスト１．Ａｉ）、（イラスト２．Ａｉとイラスト３．Ａｉ）の２組が指定された状態が示されている。ＯＫボタン１０９を作業者が選択すると、前記設定ファイルを生成し、この設定ファイル、および、比較対象である画像データ自体を比較検査装置１０に送付する。実際には比較手段１１がアクセス可能なネットワーク上のメモリ領域に送付すればよい。
【００２３】
比較手段１１は、常時新しい設定ファイルが送付されていないかどうかを監視していて、送付された場合には、その設定ファイルを読込み、その情報に従って比較対象画像データを読み込み、画素ごとの比較を行なった単色画像データを出力し、合成手段１２は、この単色画像データから検査結果画像データを作成し、分割出力手段は、検査結果画像データをカラープリンタ１９に出力する。以上第１の実施形態を説明した。
【００２４】
（第２の実施形態）
図２は、本発明の別の実施形態である比較検査装置を含むシステム（以下システム２と記す）の全体構成図である。１０は比較検査装置である。比較検査装置１０の構成はシステム１の場合と同じである。３０はデータベースサーバーである。データベース管理手段３１、比較画像指示手段３２、画像データベース３９を備える。２０はクライアントコンピュータである。データベースクライアントプログラム２２を備える。比較検査装置１０、データベースサーバー３０、クライアントコンピュータ２０はネットワーク９で接続されている。
【００２５】
画像データベース３９は、画像データファイルの管理を行なうためのデータベースであって、画像データファイルのファイル名と存在場所、更新日付、旧版データの存在場所、幾つかの管理上必要な属性値等を管理する。データベース管理手段３１は、クライアントコンピュータ２０からデータベースクライアント２２の働きにより、画像データの登録要求、直し作業を行なうための画像データの抽出要求、直し作業後の修正済画像の更新登録要求等のリクエストを受け、これらのリクエストに従って、画像データベース３９の内容を検索参照更新する。
【００２６】
データベース管理手段３１は、データベースクライアント２２から比較検査リクエストを受付けると、比較画像指示手段３２を呼び出す。比較画像指示手段３２は、作業者の比較指示を受け取って、設定ファイルを作成し、この設定ファイル、および、比較対象である画像データ自体を比較検査装置１０に送付する。
【００２７】
図５は、クライアントコンピュータ２０、データベースサーバー３０、比較検査装置１０の間の作業の流れを説明するブロック図である。以下システム２における作業の流れを説明する。
【００２８】
作業者はクライアントコンピュータ２０上で製版画像データを作成すると、データベースのクライアント２２を通じて、データベースサーバー３０へ、画像データの登録を要求する（Ｓ１）。データベースサーバー３０は、この要求に応えてデータベースに画像データを登録する（Ｓ１０）。
【００２９】
クライアントからの直し指示を受けた作業者は、データベースのクライアント２２を通じて、データベースサーバー３０へ、画像データの抽出を要求する（Ｓ３）。データベースサーバー３０は、この要求に応えてデータベースから画像データを検索し抽出する（Ｓ１２）。抽出画像のコピーを作成し、コピーを退避する（Ｓ１４）。抽出画像を作業者のクライアントコンピュータ２０に送付する。作業者はクライアントの直し指示に従って、画像データを修正する（Ｓ５）。
【００３０】
図７は、データベースクライアント２２が表示するダイアログボックス１１０である。１１１の登録画像リストから取り出したい画像を１つ指定して（図７はラーメンが選択された状態）、呼び出しボタン１１７をクリックすると、この画像データを要求するメッセージがデータベースサーバー３０に向けて発信される（Ｓ３）。データベース管理手段３１は指定された画像データを画像データベースより抽出し、複製を作成し、これを修正前フォルダに退避するとともに（Ｓ１４）、作業者のクライアントコンピュータ２０の所定のフォルダ（「修正用データ」と名前がつけられたフォルダ）に送付する（Ｓ１６）。
【００３１】
作業者は製版画像データの修正を終了すると、データベースのクライアント２２を通じて、データベースサーバー３０へ、修正画像データの登録を要求する（Ｓ７）。図７に示すダイアログボックス１１０で、登録ボタン１１８をクリックすると、クライアントコンピュータ２０の「修正用データ」フォルダにある修正済データはデータベースサーバー３０の元のフォルダへ上書きされ登録される（Ｓ１８）。
【００３２】
続いて、ダイアログボックス１１０で、作業者が比較検査ボタン１１９をクリックすると、データベース管理手段３１は、比較画像指示手段３２を起動する。一方データベースクライアント２２は、図６と同様の比較ファイルを設定する図８に示すダイアログボックス１２０をクライアントコンピュータ画面に表示する。作業者はこのダイアログボックスにて比較すべき画像のペアを入力欄１２３に指定する。そしてＯＫボタン１２９がクリックされると、画像ペアの情報を比較画像指示手段３２に伝える（Ｓ９）。比較画像指示手段３２は、比較手段１１が処理すべき対象等を記述した設定ファイルを生成し、この設定ファイルと比較対象である画像データ自体を比較検査装置１０または比較検査装置１０がアクセス可能なネットワーク上のメモリ領域に送付する（Ｓ２０）。すると比較検査装置１０では、比較検査手段１１が動作して比較検査が行なわれる（Ｓ３０）。合成手段１２および分割出力手段１３の働きにより検査結果画像が出力される（Ｓ３２）。
【００３３】
データベース管理手段３１と比較画像指示手段３２は、実際のプログラムとしては一体化していてもかまわない。また、データベースサーバー３０と比較検査装置１０が１つのサーバーコンピュータとして一体化していてもよい。以上第２の実施形態について説明した。
【００３４】
（第３の実施形態）
図３は、ＷＷＷサーバー４０を設けることにより、図２に示したシステム２の機能を、インターネット７経由で提供できるようにしたシステム３の構成を示した図である。システム２との相違は、ＷＷＷサーバー４０を設け、ＨＴＴＰ（HyperText Transfer Protocol）サーバー４１とＧＵＩ(グラフィカルユーザーインターフェース）手段４２を備えたこと、クライアントコンピュータ２０にはＷＷＷブラウザ２３を備えたところ、また、検査結果画像データをクライアント２０からダウンロード可能な形で作成するところである。ＧＵＩ手段４２は、ＨＴＴＰサーバー４１から呼び出され、ＨＴＴＰサーバー４１を通じてクライアントコンピュータ２０に画像データベース３９に対する対話操作画面（前記ダイアログボックス１１０および１２０など）を提供するＨＴＭＬデータその他の必要なデータを提供するプログラムやＨＴＭＬファイルを総称して表している。
【００３５】
システム３は、画像データをデータベースで管理し、修正前後の画像データ同士で比較検査を行なう機能をインターネット経由でアクセスしてきた利用者に提供するいわゆるＡＳＰ（Application Service Provider）として機能する。
【００３６】
尚バリエーションとして、データベース機能を省いたシステム１の機能をインターネット経由でサービスする図４に示すシステム４のような構成をとることも可能である。システム４においては、ＷＷＷサーバー４０は、ＨＴＴＰサーバー４１、ＧＵＩ手段４２の他、比較画像指示手段３２を備える。この場合、比較画像指示手段３２は、ＨＴＴＰサーバー４１から呼び出されるプログラムとして作成する。
【図面の簡単な説明】
【００３７】
【図１】本発明の実施形態に係る比較検査システム１の全体構成図である。
【図２】本発明の実施形態に係る比較検査システム２の全体構成図である。
【図３】本発明の実施形態に係る比較検査システム３の全体構成図である。
【図４】本発明の実施形態に係る比較検査システム４の全体構成図である。
【図５】システム２における作業の流れを説明するフロー図である。
【図６】比較画像指示手段２１の比較ファイルを設定するダイアログボックス１００である。
【図７】データベースクライアント２２が表示するダイアログボックス１１０である
【図８】システム２における比較ファイルを設定するダイアログボックス１２０である。
【図９】直し指示の入った修正前の画像データである。
【図１０】修正後の画像データである。
【図１１】合成手段１２が出力した検査結果画像データである。
【図１２】修正指示情報を重ねてＰＤＦファイルとした検査結果画像データである。
【符号の説明】
【００３８】
１    比較検査システム
２    比較検査システム
３    ＡＳＰ型比較検査システム
４    ＡＳＰ型比較検査システム
７    インターネット
９    構内ネットワーク
１０  比較検査装置
１１  比較手段
１２  合成手段
１３  分割手段
２０  クライアントコンピュータ
２１  比較画像指示手段
２２  データベースクライアント
３０  データベースサーバー
３１  データベース管理手段
３２  比較画像指示手段
３９  画像データベース
４０  ＷＷＷサーバー
４１  ＨＴＴＰサーバー
４２  ＧＵＩ手段
【図１】
2005122659.tif 000003
【図２】
2005122659.tif 000004
【図３】
2005122659.tif 000005
【図４】
2005122659.tif 000006
【図５】
2005122659.tif 000007
【図６】
2005122659.tif 000008
【図７】
2005122659.tif 000009
【図８】
2005122659.tif 000010
【図９】
2005122659.tif 000011
【図１０】
2005122659.tif 000012
【図１１】
2005122659.tif 000013
【図１２】
2005122659.tif 000014